(57)【要約】【課題】蓋体に配置できる二次元コードを大型化できるとともに、読み取り精度の低下を抑制できる蓄電装置を提供すること。【解決手段】二次電池１０において、圧力開放弁３０は、第２中心軸線Ｌ２よりも正極の端子構造部１６寄りに配置されるとともに、圧力開放弁３０における蓋体１５の短手方向に沿った中間点が蓋体１５の第１中心軸線Ｌ１上に位置にするように配置されている。封止部材３４及び二次元コード３５は、蓋体１５の長手方向における圧力開放弁３０と負極の端子構造部１８とで挟まれた位置に配置されている。二次元コード３５は、その中心軸線Ｎ２が封止部材３４の中心軸線Ｎ１から蓋体１５の長手方向にずれた位置に配置されるとともに、蓋体１５の第１中心軸線Ｌ１よりも蓋体１５の第２長縁部１５ｄ側にずれた位置に配置されている。【選択図】図２
2019160452.tif 000002
【特許請求の範囲】
【請求項１】
電極組立体を収容する矩形箱状のケース本体及び該ケース本体の開口部を閉塞する矩形板状の蓋体を有するケースと、
前記蓋体の長手方向両側に配設され、前記電極組立体と電気を授受する各極の端子構造部と、
前記蓋体において長手方向に前記端子構造部によって挟まれた位置に存在するとともに、前記ケースの内部圧力が開放圧に達した場合に開裂し、前記ケースの内部圧力を前記ケースの外部に開放させる圧力開放弁と、
前記蓋体において長手方向に前記端子構造部によって挟まれた位置のうち、前記蓋体の短手方向の一端寄りに存在し、前記ケース内に電解液を注入する注液孔を封止した平面視円形状の封止部材と、
前記蓋体において長手方向に前記端子構造部によって挟まれた位置のうち、前記封止部材よりも前記蓋体の短手方向他端寄りに存在し、固体識別情報を記した二次元コードと、を有する蓄電装置であって、
前記蓋体の短手方向の長さの中間点を通過し、かつ前記蓋体の長手方向に延びる仮想直線を前記蓋体の第１中心軸線とし、
前記蓋体の長手方向の長さの中間点を通過し、かつ前記蓋体の短手方向に延びる仮想直線を前記蓋体の第２中心軸線とし、
前記蓋体の長手方向に沿った前記封止部材の中間点を通過し、かつ前記蓋体の短手方向に延びる仮想直線を前記封止部材の中心軸線とし、
前記蓋体の長手方向に沿った前記二次元コードの中間点を通過し、かつ前記蓋体の短手方向に延びる仮想直線を前記二次元コードの中心軸線とすると、
前記圧力開放弁は、前記第２中心軸線よりも一方の前記端子構造部寄りに配置され、
前記封止部材及び前記二次元コードは、前記蓋体の長手方向における前記圧力開放弁と他方の前記端子構造部とで挟まれた位置に配置され、
前記二次元コードは、当該二次元コードの中心軸線が前記封止部材の中心軸線から前記蓋体の長手方向にずれた位置に配置されるとともに、
前記第１中心軸線よりも前記蓋体の短手方向の他端側にずれた位置に配置されていることを特徴とする蓄電装置。
【請求項２】
前記二次元コードは、当該二次元コードの中心軸線が前記封止部材の中心軸線よりも他方の端子構造部寄りとなる位置に配置されている請求項１に記載の蓄電装置。
【請求項３】
前記電極組立体には導電部材が電気的に接続され、
前記端子構造部は、前記ケース内において前記導電部材と電気的に接続された基部、及び前記基部から前記ケースの外部に引き出された軸部を有する引出端子と、
前記蓋体の外面に配設され、前記蓋体の外側で前記引出端子の前記軸部と電気的に接続され、かつ前記蓋体の長手方向に長手が延びる端子接続部材と、
前記端子接続部材と電気的に接続され、前記蓋体の長手方向に前記軸部と並設された外部接続端子と、
前記蓋体の外面に配設され、前記軸部、前記端子接続部材及び前記外部接続端子を前記蓋体と絶縁する外側絶縁部材と、を有する請求項１又は請求項２に記載の蓄電装置。
【請求項４】
前記蓄電装置は二次電池である請求項１〜請求項３のうちいずれか一項に記載の蓄電装置。
【発明の詳細な説明】
【技術分野】
【０００１】
本発明は、蓋体の外面に配置された二次元コードを備える蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、一般に、ケースに収容された電極組立体、及び電解液を備える。また、二次電池は、ケースの蓋体に固定された正極端子及び負極端子を備え、それら正極端子及び負極端子は同じ極性の導電部材を介して電極組立体と電気的に接続されている。さらに、二次電池において、ケースの蓋体にはケース内の圧力をケース外に開放させる圧力開放弁が設けられている。
【０００３】
二次電池は、製造段階において、個々の二次電池に製造情報を記録して、保守管理や不具合発生時の原因究明の迅速化すなわち、良好なトレーサビリティの構築の必要性が検討されている。また、二次電池は、その電池性能に関する情報を記録することもある。
【０００４】
二次電池に製造情報や電池性能に関する情報を記録する方法として、蓋体の外面に二次元コードを設ける方法が知られている（例えば、特許文献１参照）。特許文献１に開示の二次電池においては、蓋体の上面に複数の二次元コードが設けられている。複数の二次元コードは、蓋体の短手方向中央部において、蓋体の長手方向に沿って並ぶように配置されている。
【０００５】
複数の二次元コードのうちの一部は、蓋体の長手方向及び短手方向の中央部に配置された圧力開放弁と一方の端子構造部との間に配置され、残りの二次元コードは、圧力開放弁と他方の端子構造部との間に配置されている。
【先行技術文献】
【特許文献】
【０００６】
【特許文献１】特開２０１２−１１３８５４号公報
【発明の概要】
【発明が解決しようとする課題】
【０００７】
良好なトレーサビリティの構築のためや、二次電池の電池性能に関する情報を多く記録するために、二次元コードに記録する情報量が増える傾向にある。二次元コードに記録する情報量が増えるほど、二次元コードのサイズが大型化する。
【０００８】
また、二次電池では、その充放電に伴ってケース内にガスが発生し、ケースの内部圧力が高まる。そして、圧力開放弁が開放していない状態では、内部圧力の上昇に伴って蓋体が変形する。蓋体の変形モードとしては、蓋体の短手方向の中央部が外に向かって膨らむ変形が、蓋体の長手方向全体に亘って生じる変形モードが多い。特許文献１においては、このような変形モードが生じると、蓋体の変形に伴って二次元コードに歪みが生じ、二次元コードの読み取り精度が低下してしまう虞がある。
【０００９】
本発明の目的は、蓋体に配置できる二次元コードを大型化できるとともに、読み取り精度の低下を抑制できる蓄電装置を提供することにある。
【課題を解決するための手段】
【００１０】
上記問題点を解決するための蓄電装置は、電極組立体を収容する矩形箱状のケース本体及び該ケース本体の開口部を閉塞する矩形板状の蓋体を有するケースと、前記蓋体の長手方向両側に配設され、前記電極組立体と電気を授受する各極の端子構造部と、前記蓋体において長手方向に前記端子構造部によって挟まれた位置に存在するとともに、前記ケースの内部圧力が開放圧に達した場合に開裂し、前記ケースの内部圧力を前記ケースの外部に開放させる圧力開放弁と、前記蓋体において長手方向に前記端子構造部によって挟まれた位置のうち、前記蓋体の短手方向の一端寄りに存在し、前記ケース内に電解液を注入する注液孔を封止した平面視円形状の封止部材と、前記蓋体において長手方向に前記端子構造部によって挟まれた位置のうち、前記封止部材よりも前記蓋体の短手方向他端寄りに存在し、固体識別情報を記した二次元コードと、を有する蓄電装置であって、前記蓋体の短手方向の長さの中間点を通過し、かつ前記蓋体の長手方向に延びる仮想直線を前記蓋体の第１中心軸線とし、前記蓋体の長手方向の長さの中間点を通過し、かつ前記蓋体の短手方向に延びる仮想直線を前記蓋体の第２中心軸線とし、前記蓋体の長手方向に沿った前記封止部材の中間点を通過し、かつ前記蓋体の短手方向に延びる仮想直線を前記封止部材の中心軸線とし、前記蓋体の長手方向に沿った前記二次元コードの中間点を通過し、かつ前記蓋体の短手方向に延びる仮想直線を前記二次元コードの中心軸線とすると、前記圧力開放弁は、前記第２中心軸線よりも一方の前記端子構造部寄りに配置され、前記封止部材及び前記二次元コードは、前記蓋体の長手方向における前記圧力開放弁と他方の前記端子構造部とで挟まれた位置に配置され、前記二次元コードは、当該二次元コードの中心軸線が前記封止部材の中心軸線から前記蓋体の長手方向にずれた位置に配置されるとともに、前記第１中心軸線よりも前記蓋体の短手方向の他端側にずれた位置に配置されていることを要旨とする。
【００１１】
これによれば、封止部材は、その中心軸線が通過する位置が最も大径である。よって、蓋体の短手方向に封止部材と二次元コードが並ぶように配置されている場合であれば、封止部材の中心軸線から二次元コードの中心軸線が蓋体の長手方向にずれるに従い、蓋体の短手方向に沿った封止部材と二次元コードの離間距離が長くなっていく。このため、蓋体に配置できる二次元コードの寸法を蓋体の短手方向に拡大できる。すなわち、蓋体に配置できる二次元コードを大型化できる。また、蓋体の短手方向に封止部材と二次元コードが並ばない状態であれば、封止部材に関係なく蓋体に配置できる二次元コードの寸法を蓋体の短手方向に拡大でき、蓋体に配置できる二次元コードを大型化できる。
【００１２】
そして、大型化された二次元コードが配置された蓄電装置において、その充放電に伴ってケース内にガスが発生し、ケースの内部圧力が高まる。そして、圧力開放弁が開放していない状態では、二次電池のケースが内部圧力の上昇に伴って膨張し、変形する。蓋体の変形モードとしては、蓋体の第１中心軸線に沿う部分が外に向かって膨らむ変形モードが多い。このような変形モードであっても、二次元コードは、蓋体の第１中心軸線に重ならない位置に配置されているため、蓋体の変形によって二次元コードが変形することを抑制できる。
【００１３】
また、蓄電装置について、前記二次元コードは、当該二次元コードの中心軸線が前記封止部材の中心軸線よりも他方の端子構造部寄りとなる位置に配置されているのが好ましい。
【００１４】
これによれば、圧力開放弁の製造方法の一例として、蓋体をプレスして蓋体に凹部を形成し、その凹部の底に、蓋体の板厚よりも薄い弁体を製造して圧力開放弁とする方法がある。この方法では、蓋体をプレスした際、圧力開放弁の周囲にうねりが生じる。しかし、二次元コードは、封止部材よりも圧力開放弁から離れた位置に配置されているため、うねりの影響が二次元コードに及びにくくなる。
【００１５】
また、蓄電装置について、前記電極組立体には導電部材が電気的に接続され、前記端子構造部は、前記ケース内において前記導電部材と電気的に接続された基部、及び前記基部から前記ケースの外部に引き出された軸部を有する引出端子と、前記蓋体の外面に配設され、前記蓋体の外側で前記引出端子の前記軸部と電気的に接続され、かつ前記蓋体の長手方向に長手が延びる端子接続部材と、前記端子接続部材と電気的に接続され、前記蓋体の長手方向に前記軸部と並設された外部接続端子と、前記蓋体の外面に配設され、前記軸部、前記端子接続部材及び前記外部接続端子を前記蓋体と絶縁する外側絶縁部材と、を有していてもよい。
【００１６】
これによれば、端子構造部が蓋体の外面で占める面積が大きい。このような端子構造部を備える蓄電装置では、蓋体の外面において二次元コード、封止部材及び圧力開放弁を配置できる場所も狭くなる。しかし、二次元コードと封止部材と圧力開放弁の配置を規定することで、それらを配置できる場所が狭くなっても、二次元コードを大型化できるとともに、蓋体の変形によって二次元コードが変形することを抑制できる。
【００１７】
前記蓄電装置は二次電池である。
【発明の効果】
【００１８】
本発明によれば、蓋体に配置できる二次元コードを大型化できるとともに、読み取り精度の低下を抑制できる。
【図面の簡単な説明】
【００１９】
【図１】実施形態の二次電池を示す斜視図。
【図２】実施形態の二次電池を示す平面図。
【図３】端子構造部を示す断面図。
【図４】圧力開放弁及び封止部材を示す図２の４−４線断面図。
【図５】蓋体が変形した状態を模式的に示す図２の５−５線断面斜視図。
【発明を実施するための形態】
【００２０】
以下、蓄電装置を二次電池に具体化した一実施形態を図１〜図５にしたがって説明する。
図１、図２又は図３に示すように、蓄電装置としての二次電池１０はケース１１を備える。二次電池１０は、ケース１１内に収容された電極組立体１２及び電解液（図示せず）を備える。ケース１１は、矩形箱状のケース本体１４と、このケース本体１４の開口部１４ａを閉塞する矩形平板状の蓋体１５とを有している。蓋体１５は、ケース１１の外側に臨む外面１５ａ及びケース１１の内側に臨む内面１５ｂを有する。蓋体１５は、長手方向に延びる一対の長縁部のうちの一方に第１長縁部１５ｃを備え、他方に第２長縁部１５ｄを備える。また、蓋体１５は、短手方向に延びる一対の短縁部のうちの一方に第１短縁部１５ｅを備え、他方に第２短縁部１５ｆを備える。本実施形態の二次電池１０はリチウムイオン電池である。
【００２１】
図３に示すように、電極組立体１２は、シート状の複数の正極電極１７とシート状の複数の負極電極１９とを備える。正極電極１７と負極電極１９とは異なる極性の電極である。詳細に図示しないが、正極電極１７は、正極金属箔（本実施形態ではアルミニウム箔）と、その正極金属箔の両面に存在する正極活物質層とを有する。負極電極１９は、負極金属箔（本実施形態では銅箔）と、その負極金属箔の両面に存在する負極活物質層とを有する。電極組立体１２は、複数の正極電極１７と複数の負極電極１９の間にこれらを絶縁するセパレータ（図示せず）を介在させて層状とした積層型である。
【００２２】
正極電極１７は、正極電極１７の一辺の一部から突出した形状のタブ１７ａを有する。負極電極１９は、負極電極１９の一辺の一部から突出した形状のタブ１９ａを有する。複数の正極のタブ１７ａ、及び複数の負極のタブ１９ａは、正極電極１７及び負極電極１９が積層された状態で、正極のタブ１７ａと負極のタブ１９ａとが重ならない位置にそれぞれ設けられている。電極組立体１２は、タブ１７ａ，１９ａの突出したタブ側端面１２ｂを有する。
【００２３】
電極組立体１２は、タブ側端面１２ｂから突出した正極のタブ群２０を有する。正極のタブ群２０は、全ての正極のタブ１７ａを電極組立体１２における積層方向の一端側に寄せ集め、積層して構成されている。電極組立体１２は、タブ側端面１２ｂから突出した負極のタブ群２０を有する。負極のタブ群２０は、全ての負極のタブ１９ａを電極組立体１２における積層方向の一端側に寄せ集め、積層して構成されている。
【００２４】
正極のタブ群２０には正極の導電部材２１の長手方向一端側が接合されている。負極のタブ群２０には負極の導電部材２１の長手方向一端側が接合されている。各導電部材２１は、蓋体１５の内面１５ｂと電極組立体１２のタブ側端面１２ｂとの間に配置されている。
【００２５】
二次電池１０は、正極の端子構造部１６及び負極の端子構造部１８を備える。なお、正極の端子構造部１６と負極の端子構造部１８は概ね同じ構成であるため、共通の部材については、同じ部材番号を使用して説明する。
【００２６】
図１又は図３に示すように、各端子構造部１６，１８は、引出端子２３を備える。引出端子２３は、導電部材２１の長手方向他端側に接合されている。引出端子２３は、導電部材２１を介してタブ群２０と電気的に接続されている。よって、引出端子２３は導電部材２１を介して電極組立体１２と電気的に接続されている。引出端子２３は、後述の端子接続部材２５と電気的に接続される軸部２３ａと、ケース１１内において導電部材２１と電気的に接続された基部２３ｂとを軸方向に連続して備える。軸部２３ａは、基部２３ｂから蓋体１５に向けて突出し、蓋体１５を貫通して、ケース１１の外部に引き出されている。
【００２７】
各端子構造部１６，１８は、蓋体１５の外面１５ａに配置された外側絶縁部材２２を備える。外側絶縁部材２２は、引出端子２３の軸部２３ａを蓋体１５から絶縁する。外側絶縁部材２２は合成樹脂製である。外側絶縁部材２２は、蓋体１５の外面１５ａから見て矩形状である。外側絶縁部材２２の長手は、蓋体１５の長手方向に延び、外側絶縁部材２２の短手は、蓋体１５の短手方向に延びる。
【００２８】
各端子構造部１６，１８は、蓋体１５の外側に配置された外部接続端子２４を備える。外部接続端子２４は蓋体１５の外側で、二次電池１０同士を電気的に接続するバスバーを固定可能とする。外部接続端子２４は金属製である。外部接続端子２４は、外側絶縁部材２２によって蓋体１５から絶縁されている。外部接続端子２４と軸部２３ａは、蓋体１５の長手方向に並設されている。
【００２９】
各端子構造部１６，１８は端子接続部材２５を備える。端子接続部材２５は、矩形板状である。端子接続部材２５は、外側絶縁部材２２に支持されている。端子接続部材２５の長手は、蓋体１５の長手方向に延び、端子接続部材２５の短手は、蓋体１５の短手方向に延びる。端子接続部材２５の長手方向の一端側には外部接続端子２４が接合されている。端子接続部材２５の長手方向の他端側には引出端子２３の軸部２３ａが挿通されるとともに、かしめられている。
【００３０】
各端子構造部１６，１８は、シールリング２６を有する。シールリング２６には、引出端子２３の軸部２３ａが挿通されている。シールリング２６は、引出端子２３の基部２３ｂに支持されている。また、各端子構造部１６，１８は、引出端子２３の基部２３ｂを覆うとともに、軸部２３ａが貫通する内側絶縁部材２７を有する。内側絶縁部材２７は、四角板状である。内側絶縁部材２７は、蓋体１５と引出端子２３の接触を規制するとともに、蓋体１５と引出端子２３とを絶縁する。
【００３１】
正極の端子構造部１６は、蓋体１５の長手方向一端側の外面１５ａに配置され、蓋体１５の長手方向中央部よりも第１短縁部１５ｅ寄りに配置されている。負極の端子構造部１８は、蓋体１５の長手方向他端側の外面１５ａに配置され、蓋体１５の長手方向中央部よりも第２短縁部１５ｆ寄りに配置されている。正極の端子構造部１６の長手方向両端面のうち、蓋体１５の長手方向中央部寄りの端面を正極側端面１６ａとする。正極側端面１６ａは、外側絶縁部材２２の長手方向両端面のうち蓋体１５の長手方向中央部寄りの端面によって形成されている。負極の端子構造部１８の長手方向両端面のうち、蓋体１５の長手方向中央部寄りの端面を負極側端面１８ａとする。負極側端面１８ａは、外側絶縁部材２２の長手方向両端面のうち蓋体１５の長手方向中央部寄りの端面によって形成されている。
【００３２】
図２に示すように、正極側端面１６ａを通過し、かつ蓋体１５の短手方向に延びる仮想直線を正極側仮想線Ｍ１とし、負極側端面１８ａを通過し、かつ蓋体１５の短手方向に延びる仮想直線を負極側仮想線Ｍ２とする。蓋体１５を外面１５ａ側から見た平面視において、蓋体１５の外面１５ａのうち、正極側仮想線Ｍ１と負極側仮想線Ｍ２とで挟まれた領域を配置領域Ｒとする。配置領域Ｒは、平面視において正極側仮想線Ｍ１と、負極側仮想線Ｍ２と、第１長縁部１５ｃの一部と、第２長縁部１５ｄの一部とで囲まれた領域である。
【００３３】
二次電池１０は、蓋体１５の配置領域Ｒに配置された圧力開放弁３０を備える。ケース１１の内部圧力が過度に上昇すると、ケース１１が膨張変形し、隣接する二次電池１０や装置を圧迫したり、破断により内部の電解液が漏れ出す。そこで、圧力開放弁３０は、ケース１１の内部圧力が上昇し過ぎないように、ケース１１の内部圧力が所定の圧力である開放圧に達した場合に開裂し、ケース１１の内部圧力をケース１１外に開放させる。圧力開放弁３０の開放圧は、例えば、ケース１１にある程度の変形を生じさせる圧力にて、圧力開放弁３０が開裂し得るように設定されている。圧力開放弁３０は、蓋体１５の外面１５ａ側から見た平面視において、蓋体１５の長手方向に長手が延びるトラック形状である。
【００３４】
図４に示すように、圧力開放弁３０は、蓋体１５の板厚よりも薄い板状の弁体３１を有する。蓋体１５は、ケース１１の外側に位置する外面１５ａに凹部３２を有する。弁体３１は、凹部３２の底に位置している。圧力開放弁３０は、蓋体１５を外面１５ａ及び内面１５ｂ側からプレスして形成されている。
【００３５】
図２に示すように、蓋体１５の短手方向の長さの中間点を通り、かつ蓋体１５の長手方向に延びる仮想直線を蓋体１５の第１中心軸線Ｌ１としたとき、圧力開放弁３０は、蓋体１５の第１中心軸線Ｌ１上に位置している。この実施形態において圧力開放弁３０の長手方向及び短手方向の中心点は、蓋体１５の第１中心軸線Ｌ１上に位置している。蓋体１５の長手方向の長さの中間点を通り、かつ蓋体１５の短手方向に延びる仮想直線を蓋体１５の第２中心軸線Ｌ２としたとき、圧力開放弁３０は、蓋体１５の第２中心軸線Ｌ２に重ならず、第２中心軸線Ｌ２よりも一方の端子構造部としての正極の端子構造部１６寄りに配置されている。また、圧力開放弁３０は、その長手方向の一端が第２中心軸線Ｌ２上に位置するように配置されている。
【００３６】
二次電池１０は、蓋体１５の配置領域Ｒに配置された注液孔３３を備える。注液孔３３は、蓋体１５の外面１５ａ側から見た平面視円孔状である。注液孔３３は、蓋体１５を厚さ方向に貫通する。注液孔３３は封止部材３４によって封止され、ケース１１内からのガス及び電解液の漏れが防止されている。図２又は図４に示すように、封止部材３４は、蓋体１５の外面１５ａ側から見た平面視が円形状の頭部３４ａと、注液孔３３に圧入された圧入部３４ｂとを有する。
【００３７】
図２に示すように、封止部材３４の中心点Ｐ２を通過し、蓋体１５の短手方向に延びる仮想直線を封止部材３４の中心軸線Ｎ１とする。封止部材３４の中心軸線Ｎ１は、蓋体１５の第２中心軸線Ｌ２よりも他方の端子構造部としての負極の端子構造部１８寄りに位置している。そして、封止部材３４は、蓋体１５の第２中心軸線Ｌ２上に位置していない。また、注液孔３３及び封止部材３４は、蓋体１５の短手方向の一端寄りに存在する。すなわち、注液孔３３及び封止部材３４は、第１中心軸線Ｌ１よりも蓋体１５の第１長縁部１５ｃ寄りに配置され、第１中心軸線Ｌ１上に存在しない。
【００３８】
二次電池１０は、蓋体１５の配置領域Ｒに配置された二次元コード３５を備える。二次元コード３５には、二次電池１０製造情報、電池性能等の各種情報が記録されている。二次元コード３５は、例えば、ＱＲコード（登録商標）であり、二次電池１０の固体識別情報を記したものである。二次元コード３５は、レーザによって蓋体１５の外面１５ａに印字されている。二次元コード３５は、蓋体１５の外面１５ａ側から見て正方形状である。
【００３９】
二次元コード３５の中心点を通り、かつ蓋体１５の短手方向に延びる仮想直線を二次元コード３５の中心軸線Ｎ２とする。二次元コード３５の中心軸線Ｎ２は、封止部材３４の中心軸線Ｎ１よりも、他方の端子構造部としての負極の端子構造部１８寄りとなる位置に配置されている。よって、二次元コード３５の中心軸線Ｎ２は、封止部材３４の中心軸線Ｎ１と一致せず、蓋体１５の長手方向に沿って負極の端子構造部１８側へずれた位置にある。
【００４０】
封止部材３４において、負極の端子構造部１８に最も近い箇所を内端Ｐとし、この内端Ｐを通過し、かつ蓋体１５の短手方向に延びる仮想直線を境界線Ｋとする。また、二次元コード３５において、蓋体１５の長手方向の第１短縁部１５ｅ側の端部を第１端部３５ａとし、第２短縁部１５ｆ側の端部を第２端部３５ｂとする。
【００４１】
蓋体１５を外面１５ａ側から見た平面視では、二次元コード３５は、第１端部３５ａ側の一部が境界線Ｋよりも正極の端子構造部１６側に位置し、第２端部３５ｂ側の一部が境界線Ｋよりも負極の端子構造部１８側に位置している。したがって、二次元コード３５の第１端部３５ａ側の一部は、封止部材３４の一部と蓋体１５の短手方向に隣り合っている。そして、二次元コード３５における第２端部３５ｂ側は、境界線Ｋよりも負極の端子構造部１８側に突出している。
【００４２】
また、二次元コード３５は、蓋体１５の短手方向に関して、封止部材３４よりも蓋体１５の短手方向の他端寄りに存在する。二次元コード３５は、第１中心軸線Ｌ１よりも第２長縁部１５ｄ寄りに配置され、第１中心軸線Ｌ１上に存在しない。よって、配置領域Ｒでは、二次元コード３５は、蓋体１５の第１中心軸線Ｌ１を挟んで封止部材３４と反対側に配置されるとともに、封止部材３４は、蓋体１５の第１中心軸線Ｌ１を挟んで二次元コード３５と反対側に配置されている。
【００４３】
次に、二次電池１０の作用効果を記載する。
（１）二次元コード３５の中心軸線Ｎ２を、封止部材３４の中心軸線Ｎ１よりも負極の端子構造部１８側にずらして二次元コード３５を配置した。二次元コード３５の中心軸線Ｎ２が、負極の端子構造部１８に近付くほど、封止部材３４と二次元コード３５との離間距離が広がり、蓋体１５の短手方向への二次元コード３５の寸法を拡大でき、二次元コード３５を大型化できる。このため、二次元コード３５に記録できる情報量を多くできる。
【００４４】
（２）大型化された二次元コード３５が配置された二次電池１０において、その充放電に伴ってケース１１内にガスが発生し、ケース１１の内部圧力が高まる。そして、圧力開放弁３０が開放していない状態では、二次電池１０のケース１１が内部圧力の上昇に伴って膨張し、変形する。
【００４５】
図５に示すように、蓋体１５の変形モードとしては、蓋体１５の第１中心軸線Ｌ１に沿う部分が外に向かって膨らむ変形モードが多い。このような変形モードであっても、二次元コード３５は、蓋体１５の第１中心軸線Ｌ１に重ならないように第２長縁部１５ｄ側にずれた位置に配置されているため、蓋体１５の変形によって二次元コード３５が変形することを抑制できる。よって、二次元コード３５を平坦状のままに維持でき、二次元コード３５の読み取り精度が低下することを抑制できる。
【００４６】
（３）各端子構造部１６，１８は、外側絶縁部材２２、引出端子２３、外部接続端子２４、及び端子接続部材２５を有し、蓋体１５の長手方向へ長手が延びる形状である。このため、蓋体１５において、圧力開放弁３０、封止部材３４及び二次元コード３５の配置領域Ｒは、一対の端子構造部１６，１８で挟まれた領域であり、狭い領域である。このような、配置領域Ｒであっても、圧力開放弁３０、注液孔３３、及び封止部材３４の配置を規定することで、二次元コード３５を大型化しつつ、二次元コード３５の変形を抑制して読み取り精度の低下を抑制できる。
【００４７】
（４）二次元コード３５の中心軸線Ｎ２を、封止部材３４の中心軸線Ｎ１よりも負極の端子構造部１８側にずらし、二次元コード３５を注液孔３３及び封止部材３４から離している。このため、二次元コード３５をレーザによって印字する際に発生する熱影響が注液孔３３に及び難くなる。
【００４８】
（５）圧力開放弁３０を形成するため、蓋体１５をプレスした際に圧力開放弁３０の周囲にはうねりが生じる。しかし、二次元コード３５の中心軸線Ｎ２を、封止部材３４の中心軸線Ｎ１よりも負極の端子構造部１８寄りとすることで、蓋体１５の長手方向において、二次元コード３５を封止部材３４よりも圧力開放弁３０から離した配置とし、うねりの影響を二次元コード３５に及ぼしにくくできる。
【００４９】
なお、上記実施形態は以下のように変更してもよい。
○  実施形態では、二次元コード３５の第１端部３５ａ側の一部は、封止部材３４の一部と蓋体１５の短手方向に隣り合っていた。しかし、二次元コード３５の第１端部３５ａ側が、封止部材３４と蓋体１５の短手方向に隣り合わないように、封止部材３４の中心軸線Ｎ１と、二次元コード３５の中心軸線Ｎ２とが、蓋体１５の長手方向にずれていてもよい。
【００５０】
○  二次元コード３５の中心軸線Ｎ２が、蓋体１５の長手方向において封止部材３４の中心軸線Ｎ１よりも圧力開放弁３０寄りとなる位置に配置されていてもよい。すなわち、蓋体１５の長手方向の封止部材３４と二次元コード３５の位置が入れ替わっていてもよい。
【００５１】
○  二次元コード３５は、蓋体１５の外面１５ａ側から見て長方形状であってもよい。
○  二次元コード３５は、ＱＲコード以外のものであってもよく、例えば、ＤａｔａＭｔｒｉｘ、ＭａｘｉＣｏｄｅ、ＡｚｔｅｃＣｏｄｅなどであってもよい。
【００５２】
○  圧力開放弁３０を、蓋体１５の短手方向にずらした位置に配置してもよい。
○  圧力開放弁３０を、蓋体１５の長手方向に沿って正極の端子構造部１６側にずらした位置に配置してもよい。
【００５３】
○  端子構造部１６，１８は、実施形態に限られず、導電部材２１に電極端子が接続されたものでもよい。
○  正極電極１７及び負極電極１９は、金属箔の片面に活物質層が存在する構造でもよい。
【００５４】
○  電極組立体は、長尺帯状の正極電極と、長尺帯状の負極電極とを、長尺帯状のセパレータを介して捲回した捲回型であってもよい。
○  蓄電装置は、例えばキャパシタなど、二次電池以外の蓄電装置にも適用可能である。
【００５５】
○  二次電池１０は、リチウムイオン二次電池以外の他の二次電池であってもよい。要は、正極用の活物質と負極用の活物質との間をイオンが移動するとともに電荷の享受を行うものであればよい。
【００５６】
次に、上記実施形態及び別例から把握できる技術的思想について以下に追記する。
（１）前記二次元コードはレーザによって前記蓋体に印字されている蓄電装置。
【符号の説明】
【００５７】
Ｌ１…第１中心軸線、Ｌ２…第２中心軸線、Ｎ１，Ｎ２…中心軸線、１０…蓄電装置としての二次電池、１１…ケース、１２…電極組立体、１４…ケース本体、１４ａ…開口部、１５…蓋体、１５ａ…外面、１６，１８…端子構造部、２１…導電部材、２２…外側絶縁部材、２３…引出端子、２３ａ…軸部、２３ｂ…基部、２４…外部接続端子、２５…端子接続部材、３０…圧力開放弁、３３…注液孔、３４…封止部材、３５…二次元コード。
【図１】
2019160452.tif 000003
【図２】
2019160452.tif 000004
【図３】
2019160452.tif 000005
【図４】
2019160452.tif 000006
【図５】
2019160452.tif 000007